(57)【要約】【課題】骨枠の体裁を損なうことなく発光素子の輝出する輝光部を骨枠に設け、骨枠の何れの輝光部においても発光素子の光を強く輝出させ、輝光部によって表面地と骨枠との接着性が損なわれることがなく、技術的にもデザイン的に斬新で人目を惹き、広告宣伝の媒体としても活用し得る発光団扇を得る。【解決手段】発光素子１１を具備する握り柄１２に団扇骨枠１３を接合し、その骨枠１３の表面を表面地１４で被覆して発光団扇を構成する。団扇骨枠１３は、握り柄１２に接合される基板１５と、その基板１５から放射状に突き出た多数の骨桿１６と、隣り合う骨桿１６・１６の先端間１７・１７と隣り合う基板１５と骨桿の先端１７を連結する外周板１８とを透明プラスチックによって一体成形して構成する。基板１５と骨桿１６と外周板１８に竪穴２０や発光素子の中心２２を通る直線方向Ｓに隆起して続く峰２５を設ける。【選択図】図１
2009201647.tif 000002
【特許請求の範囲】
【請求項１】
発光素子（１１）と電池を具備する電光装置を具備する握り柄（１２）と、その握り柄（１２）に接合された団扇骨枠（１３）と、その骨枠（１３）の表面を被覆する表面地（１４）とから成り、表面地（１４）は、光の透過する半透明フィルム、紙、布帛、透明フィルムの何れかによって構成されており、骨枠（１３）は、握り柄（１２）に接合される基板（１５）と、基板（１５）から放射状に突き出た多数の骨桿（１６）と、隣り合う骨桿（１６・１６）の先端間（１７・１７）と隣り合う基板（１５）と骨桿の先端（１７）を連結して骨枠（１３）を縁取る外周板（１８）とを透明プラスチックによって一体成形して成り、握り柄の発光素子（１１）の光（１０）の発射方向（Ｓ）は、基板の側面（１９）に向けられている発光団扇において、
基板（１５）と骨桿（１６）と外周板（１８）の少なくとも何れかに、竪穴（２０）が設けられている発光団扇。
【請求項２】
竪穴（２０・２０）が表裏向かい合わせに設けられており、その表裏向かい合わせの竪穴（２０・２０）の間が貫通孔（２１）となっている前掲請求項１に記載の発光団扇。
【請求項３】
竪穴（２０）の最小内径ｐが１ｍｍ以下である前掲請求項１と２の何れかに記載の発光団扇。
【請求項４】
竪穴（２０）の周縁（２８）の発光素子側（１１）の部分が穴底に向けて傾斜した斜面（２９）になっている請求項１と２と３の何れかに記載の発光団扇。
【請求項５】
竪穴（２０）が骨桿（１６）に設けられており、骨桿（１６）の横断面が変曲点を形成することなく続く曲線で縁取られて丸みを帯びた非矩形断面形状を成している前掲請求項１と２と３と４の何れかに記載の発光団扇。
【請求項６】
発光素子（１１）と電池を具備する電光装置を具備する握り柄（１２）と、その握り柄（１２）に接合された団扇骨枠（１３）と、その骨枠（１３）の表面を被覆する表面地（１４）とから成り、表面地（１４）は、光の透過する半透明フィルム、紙、布帛、透明フィルムの何れかによって構成されており、骨枠（１３）は、握り柄（１２）に接合される基板（１５）と、基板（１５）から放射状に突き出た多数の骨桿（１６）と、隣り合う骨桿（１６・１６）の先端間（１７・１７）と隣り合う基板（１５）と骨桿の先端（１７）を連結して骨枠（１３）を縁取る外周板（１８）とを透明プラスチックによって一体成形して成り、握り柄の発光素子（１１）の光（１０）の発射方向（Ｓ）は、基板の側面（１９）に向けられている発光団扇において、
基板（１５）と外周板（１８）の少なくとも何れかに隆起して発光素子の中心（２２）を通る直線方向（Ｓ）に畝状に続く峰（２５）が形成されており、
その峰（２５）の骨枠（１３）の外周板側（１８）が発光素子側（１１）よりも傾斜した斜面（２６）になっている発光団扇。
【請求項７】
基板（１５）と外周板（１８）の少なくとも何れかに、発光素子の中心（２２）を通る直線方向（Ｓ）に細長く続く表裏貫通した開口（２３）が設けられており、
その開口（２３）に内接する内接円（２４）の直径（ｄ）が１〜１０ｍｍであり、発光素子の中心（２２）を通る直線方向（Ｓ）における開口（２３）の長さ（ｅ）が、その内接円（２４）の直径（ｄ）の５倍以下であり且つ４０ｍｍ以下である前掲請求項１と２と３と４と５と６の何れかに記載の発光団扇。
【請求項８】
開口（２３）の周縁（３０）の発光素子側（１１）の部分が、その深さ方向に向けて傾斜した斜面（３１）になっている前掲請求項７に記載の発光団扇。
【請求項９】
外周板（１８）に多数の開口（２３）が設けられており、その隣り合う開口（２３）と開口（２３）の間の仕切り（３２）が桿状を成し、その仕切り桿（３２）と開口（２３）とによって外周板（１８）が網目状に構成されている前掲請求項７と８の何れかに記載の発光団扇。
【請求項１０】
発光素子の光（１０）を受けて変色する変色顔料を含有するインクによる画素（２７）が表面地（１４）に描かれている前掲請求項１と２と３と４と５と６と７と８と９の何れかに記載の発光団扇。
【請求項１１】
隣り合う骨桿（１６・１６）の基板に続く根元（３３）と根元（３３）との分岐箇所（３４）に向かい合わせに竪穴（２０）が基板（１５）に設けられている前掲請求項１と２と３と４と５と６と７と８と９と１０の何れかに記載の発光団扇。
【請求項１２】
隣り合う骨桿（１６・１６）の基板に続く根元（３３）と根元（３３）が密着している前掲請求項１と２と３と４と５と６と７と８と９と１０と１１の何れかに記載の発光団扇。
【発明の詳細な説明】
【技術分野】
【０００１】
本発明は、電光装置を具備し、その発光素子に照らし出されて発光する発光団扇に関するものである。
【背景技術】
【０００２】
発光素子を具備する握り柄と、その握り柄１に接合された団扇骨枠と、その骨枠の表面を被覆するフィルムや紙等の表面地とから成り、骨枠が、握り柄に接合される基板と、その基板から放射状に突き出た多数の骨桿と、その隣り合う骨桿の先端間と基板を連結して骨枠を縁取る外周板とを透明プラスチックによって一体成形されており、握り柄の発光素子が基板の側面に向けられており、発光素子からの光が骨枠全体に伝播するように構成された発光団扇は公知である（例えば、特許文献１、２、３、４、５、６参照）。  
【０００３】
透明プラスチック製の骨桿は、光ファイバー (オプチックファイバー）と同じ機能を有し、基板の側面からの入射光は骨桿の長さ方向に進み、外周板の外縁の骨桿の先端に向き合う部分において輝出する（例えば、特許文献１参照）。その入射光が骨桿の先端部分だけではなく、骨桿全体から輝出し、骨桿全体が発光するためには、光反射性物質を含有するプラスチックが骨桿に使用される（例えば、特許文献２参照）。発光素子には、電球や発光ダイオードが使用される（例えば、特許文献１、２、３参照）。
【０００４】
【特許文献１】実開昭６４−７８１８号公報
【特許文献２】実開平７−２５８１６号公報
【特許文献３】特開２００１−２２３号公報
【特許文献４】特許第３４９４６３１号公報（特開２００２−３１５６１７）
【特許文献５】特許第３５１９３９９号公報
【特許文献６】特許第３５１４７４８号公報（特開２００２−３３０８１０）
【発明の開示】
【発明が解決しようとする課題】
【０００５】
特許文献２に示される光反射性物質を含有する骨桿では、光反射性物質が光の進行を妨げるので、骨桿の発光素子側では光を反射するものの、発光素子から離れるにつれて骨桿内部を進行する光の光量は漸減し、発光素子の光は骨桿の先端側まで到達し難く、骨桿全体が朧に発光するものの、人目を惹く程に輝光を放つ発光団扇は得られない。
【０００６】
特許文献４では、漏光を防ぐために遮光部材によって基板の表裏を遮蔽しているが、薄い基板の側面からの入射光は基板内で全反射を繰り返しながら進むので、遮光部材の適用は基板での漏光防止手段としては有効とは思えない。
【０００７】
特許文献５には、骨桿に段差部、幅変化部、粗面化部を設け、それらの箇所で骨桿内部を進む光を輝出させることとしているが、段差部や粗面化部では表面地が骨桿から浮き剥がれ易く、又、幅変化部では幅の変化した骨桿の陰影が表面地の表面に浮き出て発光団扇の体裁を損なうことになる。
【０００８】
特許文献６には、基板の周縁に沿って一定間隔で骨桿を配置し、その隣り合う骨桿の根元と根元の間の隙間から基板内部を進んだ光を輝出させることとしているが、その隙間から輝出する光量に比例して基板から骨桿に入る光量が減少するので、発光素子の光を骨桿や外周板から強く輝出させることは出来ない。
【０００９】
本発明は、骨枠の体裁を損なうことなく発光素子の輝出する輝光部を骨枠に設けること、骨枠の何れの輝光部においても他の輝光部で輝出する光量に左右されることなく発光素子の光を強く輝出させること、輝光部を設けることによって表面地と骨枠との接着性（耐剥離強度）が損なわれないようにすることを目的とする。
【００１０】
本発明の他の目的は、技術的にもデザイン的にも斬新で人目を惹き、広告宣伝の媒体としても活用し得る発光団扇を得ることにある。
【課題を解決するための手段】
【００１１】
本発明に係る発光団扇は、発光素子１１と電池を具備する電光装置を具備する握り柄１２と、その握り柄１２に接合された団扇骨枠１３と、その骨枠１３の表面を被覆する表面地１４とから成り、表面地１４は、光の透過する半透明フィルム、紙、布帛、透明フィルムの何れかによって構成されており、骨枠１３は、握り柄１２に接合される基板１５と、基板１５から放射状に突き出た多数の骨桿１６と、隣り合う骨桿１６・１６の先端間１７・１７と隣り合う基板１５と骨桿の先端１７を連結して骨枠１３を縁取る外周板１８とを透明プラスチックによって一体成形して成り、握り柄の発光素子１１の光１０の発射方向（Ｓ）は、基板の側面１９に向けられており、（ａ）  基板１５と骨桿１６と外周板１８の少なくとも何れかに竪穴２０が設けられていることを第１の特徴とする。
【００１２】
本発明に係る発光団扇の第２の特徴は、上記第１の特徴に加えて、（ｂ）  竪穴２０・２０が表裏向かい合わせに設けられており、（ｃ）  その表裏向かい合わせの竪穴２０・２０の間が貫通孔２１となっている点にある。
【００１３】
本発明に係る発光団扇の第３の特徴は、上記第２の特徴に加えて、（ｄ）  竪穴２０の最小内径ｐが１ｍｍ以下である点にある。
【００１４】
本発明に係る発光団扇の第４の特徴は、上記第１、第２および第３の何れかの特徴に加えて、（ｅ）  竪穴２０の周縁２８の発光素子側（１１）の部分が穴底に向けて傾斜した斜面２９になっている点にある。
【００１５】
本発明に係る発光団扇の第５の特徴は、上記第１、第２、第３および第４の何れかの特徴に加えて、（ｆ）  竪穴２０が骨桿１６に設けられており、骨桿１６の横断面が変曲点を形成することなく続く曲線で縁取られて丸みを帯びた非矩形断面形状を成している点にある。
【００１６】
本発明に係る発光団扇は、発光素子１１と電池を具備する電光装置を具備する握り柄１２と、その握り柄１２に接合された団扇骨枠１３と、その骨枠１３の表面を被覆する表面地１４とから成り、表面地１４は、光の透過する半透明フィルム、紙、布帛、透明フィルムの何れかによって構成されており、骨枠１３は、握り柄１２に接合される基板１５と、基板１５から放射状に突き出た多数の骨桿１６と、隣り合う骨桿１６・１６の先端間１７・１７と隣り合う基板１５と骨桿の先端１７を連結して骨枠１３を縁取る外周板１８とを透明プラスチックによって一体成形して成り、握り柄の発光素子１１の光１０の発射方向（Ｓ）は、基板の側面１９に向けられており、（ｇ）  基板１５と外周板１８の少なくとも何れかに隆起して発光素子の中心２２を通る直線方向Ｓに畝状に続く峰２５が形成されており、（ｈ）  その峰２５の骨枠１３の外周板側（１８）が発光素子側（１１）よりも傾斜した斜面２６になっていること、即ち、放射状に発光素子が放つ光１０の直進方向における峰２５の先端が傾斜した斜面２６になっていることを第６の特徴とする。
【００１７】
本発明に係る発光団扇の第７の特徴は、上記第１、第２、第３、第４、第５および第６の何れかの特徴に加えて、（ｉ）  基板１５と外周板１８の少なくとも何れかに、発光素子の中心２２を通る直線方向Ｓに細長く続く表裏貫通した開口２３が設けられており、（ｊ）  その開口２３に内接する内接円２４の直径ｄが１〜１０ｍｍであり、発光素子の中心２２を通る直線方向Ｓにおける開口２３の長さｅが、その内接円２４の直径ｄの５倍以下であり且つ４０ｍｍ以下である点にある。
【００１８】
本発明に係る発光団扇の第８の特徴は、上記第７の特徴に加えて、（ｋ）  開口２３の周縁３０の発光素子側（１１）の部分が、その深さ方向に向けて傾斜した斜面３１になっている点にある。
【００１９】
本発明に係る発光団扇の第９の特徴は、上記第７および第８の何れかの特徴に加えて、（ｌ）  外周板１８に多数の開口２３が設けられており、その隣り合う開口２３と開口２３の間の仕切り３２が桿状を成し、（ｍ）  その仕切り桿３２と開口２３とによって外周板１８が網目状に構成されている点にある。
【００２０】
本発明に係る発光団扇の第１０の特徴は、上記第１、第２、第３、第４、第５、第６、第７、第８および第９の何れかの特徴に加えて、（ｎ）  発光素子の光１０を受けて変色する変色顔料を含有するインクによる画素２７が表面地１４に描かれている点にある。
【００２１】
本発明に係る発光団扇の第１１の特徴は、上記第１、第２、第３、第４、第５、第６、第７、第８、第９および第１０の何れかの特徴に加えて、（ｏ）  隣り合う骨桿１６・１６の基板に続く根元３３と根元３３との分岐箇所３４に向かい合わせに竪穴２０が基板１５に設けられている点にある。
【００２２】
本発明に係る発光団扇の第１２の特徴は、上記第１、第２、第３、第４、第５、第６、第７、第８、第９、第１０および第１１の何れかの特徴に加えて、（ｐ）  隣り合う骨桿１６・１６の基板に続く根元３３と根元３３が密着している点にある。
【発明の効果】
【００２３】
発光素子１１に放つ光１０は、基板の側面１９から入射し、発光素子１１を中心に放射状に基板内を直進し、基板１５に設けた竪穴２０の周壁面に当って輝出し、竪穴２０の周壁面の形状に応じた発光体が顕現する（図１−Ａ・Ｄ参照）。その竪穴２０・２０を表裏向かい合わせに設け、或いは、その向かい合わせの竪穴２０・２０を表裏に貫通した貫通孔２１とするときは、その発光体は、基板１５の厚み相応の長さの細長い発光体となる（図１−Ａ・図６参照）。
【００２４】
特に断面が円形を成す竪穴２０に顕現する発光体は、その竪穴２０の軸芯線に平行に線条のように周壁面に顕現し、その線条の太さは竪穴の内径ｐ（太さ）に格別左右されることなく、電球のタングステン発熱線に似た太さ１ｍｍ未満の火柱の観を呈する（図１−Ｄ参照）。従って、竪穴２０の内径ｐは、１ｍｍ以下でもよく、０．５ｍｍ以下でも十分である。そして、透明プラスチック製の骨枠１３の陰影を看取することは困難なことから、発光素子１１が光を放たない常態において、内径ｐが１ｍｍ以下の細かい竪穴２０は、格別目立つものとはならない。従って、本発明（第１の特徴）の発光団扇では、その竪穴２０によって基板１５の体裁が損なわれることはなく、そのように竪穴２０が細かければ、広告宣伝のための文字や図形を竪穴２０によって基板１５に点描することが出来、又、そのように竪穴２０が細かければ、その竪穴２０を設けることによって表面地１４が基板１５から浮き剥がれ易くなることもない。
【００２５】
このことは、骨桿１６や外周板１８に設けられた竪穴２０についても同様に言える。
従って、本発明（第３の特徴）によると、骨桿１６の体裁を損なうことなく、骨桿１６の所要の箇所に発光素子１１による発光体を顕出させ、必要に応じて文字や図形を竪穴２０によって点描し、闇に輝き、広告宣伝の媒体としても活用し得る発光団扇を得ることが出来（図１・図２・図４参照）、その発光体の顕出手段や広告宣伝の媒体手段となる竪穴２０によって表面地１４骨桿１６との接着性（耐剥離強度）が損なわれることもない。
【００２６】
変曲点を形成することなく続く曲線で縁取られて丸みを帯びた非矩形断面形状を成す骨桿１６の内部においては、その骨桿の周壁面は、竪穴２０に顕現する発光体に対して反射鏡のように作用し、その発光体からの光は、骨桿１６の周壁面において拡散される（図１−Ｄ参照）。従って、本発明（第５の特徴）によると、竪穴２０での発光体が骨桿１６の太さ相応の太さと丸みを帯び、広く輝く発光団扇が得られる。
【００２７】
基板１５や外周板１８に、発光素子の中心２２を通る直線方向Ｓに細長く続く表裏貫通した開口２３を設け、その開口２３の形と大きさを、その開口２３に内接する内接円２４の直径ｄが１〜１０ｍｍとなり、発光素子の中心２２を通る直線方向Ｓにおける開口２３の長さｅが内接円２４の直径ｄの５倍以下、且つ、４０ｍｍ以下となるように設定すると、骨枠１３の全面が輝光を放つようになる（図３参照）。従って、本発明（第７の特徴）によると、表裏が広く輝く発光団扇が得られる。
【００２８】
その開口を外周板１８に多数網目状に設けるときは、隣り合う開口２３と開口２３の間の仕切り３２の陰影が表面地１４に映し出される（図３参照）。従って、本発明（第９の特徴）によると、発光素子１１の光によって影絵の見え隠れする発光団扇が得られる。
【００２９】
竪穴２０の周縁２８の発光素子側（１１）の部分が穴底に向けて傾斜した斜面２９になっている骨桿１６では、その斜面２９において光１０が全反射し、その斜面２９の設けられている面の反対側の表面から光１０が輝出する（図６−Ｅ参照）。その斜面２９での発光体の形や大きさは、その斜面２９の形や大きさに相応し、その発光体が強く大きく輝出する。その斜面２９を表裏向かい合わせに設けると、骨枠１３の表裏が大きく輝出することになる。このことは、開口２３の周縁３０の発光素子側（１１）の部分を深さ方向に向けて傾斜した斜面３１とする場合も同様である。従って、本発明（第４と第８の特徴）によると、表裏が輝く発光団扇が得られる。
【００３０】
基板１５や外周板１８に隆起して発光素子の中心２２を通る直線方向Ｓに畝状に続く峰２５を形成し、その峰２５の骨枠１３の外周側が発光素子側（１１）よりも傾斜した斜面２６にすると、その斜面２６から光が輝出し、表面地１４の表裏が映し出される。更に、発光素子の光１０を受けて変色する変色顔料を含有するインクによる画素２７を表面地１４に描写しておくと、発光素子の光１０を受けて画素２７が見え隠れし、人目を惹いて広告宣伝の媒体ともなる（図５参照）。このように、本発明（第６と第１０の特徴）によると、広告宣伝の媒体として極めて有効な発光団扇が得られる。
【００３１】
隣り合う骨桿１６・１６の基板に続く根元３３と根元３３との分岐箇所３４に向かい合わせに竪穴２０を基板１５に設けると、その竪穴２０において発光素子１１の放つ光１０が発光体となって顕現し、その顕現した竪穴２０よりも光１０の直進方向において離れて位置する分岐箇所３４では、その竪穴２０において輝出した分だけ、その分岐箇所３４に到達する発光素子１１からの光量が少なくなる。従って、分岐箇所３４よりも発光素子側に偏った位置に竪穴２０を設けることによって、分岐箇所３４での漏光を少なくすることが出来る（図１−Ｂ参照）。
【００３２】
その分岐箇所３４での漏光を少なくするためには、隣り合う骨桿１６・１６の基板に続く根元３３と根元３３を密着させるとよく（図１−Ｂ参照）、そうすることによって、発光素子１１の全光量を骨桿１３へと導き易くなり、骨桿１６や外周板１８に設けた竪穴２０において、発光体を強く輝出させることが出来る。
【００３３】
このように、本発明（第１〜第１２の特徴）によると、輝光部は最小内径１ｍｍ以下の竪穴２０によって構成されているので、その竪穴２０によって骨枠１３の体裁が損なわれない。最小内径１ｍｍ以下で微細な竪穴２０は、格別骨枠１３の内部を直進する光１０を遮る障害物とはならない。特に、横断面が丸みを帯びた骨桿１６では一つの竪穴２０に顕現した発光体の光が弯曲した骨桿１６の内周面で全反射を繰り返して進むので、一つ骨桿１６の長さ方向に多数の竪穴を連設することによって骨桿全体を長い発光体を成すかの如く輝出させることも可能となる。又、最小内径が１ｍｍ以下であることから、竪穴２０によって表面地１４と骨桿１６との接着性（耐剥離強度）が損なわれることもなく、その微細な竪穴２０によって文字や図形を点描することが出来るので、技術的にもデザイン的に斬新で人目を惹き、広告宣伝の媒体としても有用な発光団扇を得ることが出来る。
【発明を実施するための最良の形態】
【００３４】
骨枠１３には点描するように絵画を竪穴２０や貫通孔２１での発光体で描出することが出来る（図１・図２・図４参照）。星座等を描出するためには、外周板１８が骨枠１３の面積の５０％以上を占めるようにし、その広い外周板１８の上に星座を竪穴での発光体によって描出することも出来る。星座等の絵画を描出する場合、骨枠１３の表面に疵痕のように幅と高さや深さが０．５ｍｍ以下となる極細い細畝や細溝３５を設け、その細畝や細溝３５によって竪穴２０と竪穴２０を結び、その点描する星座等の絵画の輪郭を細畝や細溝３５によって表現することも出来る（図４参照）。
【００３５】
画素２７を表面地１４に描くインクは、有彩色であっても無彩色であってもよい。発光素子の光１０を受けて変色する変色顔料としては、蛍光顔料や蓄光顔料、蛍光顔料や蓄光染料が有効である。発光素子の光１０は、有彩色であっても無彩色であってもよい。表面地１４の描かれた画素２７を暗闇で顕現させるためには、可視光線の下では不可視であり、紫外線の下で可視となるサマリウム、ユーロピウム、テルビウム、ジスプロニウム、エルビウム等の希土類金属イオンを含有する蛍光顔料や蓄光顔料、蛍光顔料や蓄光染料によって画素２７を描き、発光素子１１には紫外線を放つ発光ダイオードやブラックライトを適用することが推奨される。発光素子の光１０を受けて変色する画素２７は、骨枠１３、即ち、基板１５や骨桿１６や外周板１８に描くことも出来る。
【００３６】
外周板１８を輝出させるためには、骨桿１６の先端１７に向き合う部分に竪穴２０を設けると効果的である（図１−Ｃ・図２−Ｃ・図６−Ｆ４参照）。竪穴の周縁２８の一部を竪穴内部に膨出させて周縁２８の斜面２９を彎曲させ（図２−Ｃ参照）、或いは、隆起した峰２５の斜面２６を彎曲させ（図２−Ｂ参照）、それらの彎曲斜面２６・２９によって発光模様を描出することも出来る。
【００３７】
光ファイバー (オプチックファイバー）の場合と同様に、骨桿１６では内周面で光１０が全反射を繰り返して進むので、骨桿１６を真っ直ぐにする必要はなく、骨桿１６を彎曲させることも出来、又、骨桿１６を分岐させることも出来る。骨桿１６を分岐させる場合には、その分岐点に竪穴２０や貫通孔２１を設けると、その竪穴２０や貫通孔２１の周壁面に光１０が当り易く、強い光輝を放つ発光体が顕現する（図３参照）。
【００３８】
微細な竪穴２０が骨枠内部を進む光１０を遮らないようにするためには、その最小内径ｐを１ｍｍ以下にするとよいが、その最小内径ｐに反比例し、その最小内径ｐが細かく（細く）なるにつれて竪穴２０の放つ光輝の光量（明るさ）が増え、強い光輝を放つ発光体が顕現する。従って、強い光輝を放つ発光体が顕現するようにするためにも、その最小内径ｐを１ｍｍ以下に、好ましくは０．８ｍｍ以下に、更に好ましくは０．５ｍｍ以下と、可能な限り細かく（細く）する。
【００３９】
最小内径ｐが１ｍｍ以下であれば、図３に図示する外周板１８の周縁に沿って連設された竪穴２０のように、竪穴２０は、発光素子の中心２２を通る直線方向Ｓに交叉する方向、即ち、発光素子の放つ光１０を横切る方向に長く続く溝にすることも出来る。
【００４０】
強い光輝を放つ発光体が顕現するようにするためには、竪穴２０や貫通孔１の周壁面に角張った凹凸、特に、角張った凹部や角張った溝、即ち、骨枠内部側から見て入隅が鋭利に突き出た鋭利な凹部や溝を竪穴２０や貫通孔１の内面に設けることが推奨される。
【００４１】
隆起した峰２５の斜面２６、竪穴２０の周縁２８の斜面２９、および、開口２３の周縁３０の斜面３１の骨枠１３の表面に対する傾斜角度は、４５度〜８０度にするとよい。
【００４２】
表面地１４の裏面には粘着剤や接着剤による接着層を積層し、その接着層を介して団扇骨枠１３に表面地１４を貼着する。
その粘着剤や接着剤には、屈折率が１．６以下の樹脂をバインダー成分として用いるとよい。
好ましくは、粒径が１００μｍ以下の中空マイクロバルーンやガラスピーズ等の微粒子を粘着剤や接着剤に配合するとよい。
そのように表面地１４の裏面に微粒子の配合された接着層を積層しておくと、その微粒子が発光素子の放つ光１０を受けて発光し、団扇骨枠１３だけではなく表面地１４も発光し、全体が輝く発光団扇が得られる。
【図面の簡単な説明】
【００４３】
【図１】本発明の発光団扇の平面図であり、一部を円で囲んで拡大斜視図で示す。
【図２】本発明の発光団扇の平面図であり、一部を円で囲んで拡大斜視図で示す。
【図３】本発明の発光団扇の平面図である。
【図４】本発明の発光団扇の平面図である。
【図５】本発明の発光団扇の要部拡大斜視図で示している。
【図６】本発明の団扇骨枠の断面図であり、一部を円で囲んで拡大して示す。
【符号の説明】
【００４４】
１０：光
１１：発光素子
１２：握り柄
１３：骨枠
１４：表面地
１５：基板
１６：骨桿
１７：骨桿の先端
１８：外周板
１９：基板の側面
２０：竪穴
２１：貫通孔
２２：発光素子の中心
２３：開口
２４：開口内接円
２５：峰
２６：峰の斜面
２７：画素
２８：竪穴の周縁
２９：竪穴の斜面
３０：開口の周縁
３１：開口の斜面
３２：仕切り桿
３３：根元
３４：分岐箇所
３５：細溝（細畝）
ｄ  ：開口内接円の直径
ｅ  ：開口の長さ
ｐ  ：竪穴の最小内径
Ｓ  ：直線方向
【図１】
2009201647.tif 000003
【図２】
2009201647.tif 000004
【図３】
2009201647.tif 000005
【図４】
2009201647.tif 000006
【図５】
2009201647.tif 000007
【図６】
2009201647.tif 000008